(57)【要約】【課題】洗髪すべき者をベッドに寝かせた状態で、周囲をよごすことなく洗髪することができるように構成した洗髪装置を提供する。【解決手段】洗髪装置１００は、洗髪すべき者の頭部を受け入れることができる洗髪器１１０と、洗髪器１１０の下方に配置され、かつ洗髪器１１０を支持するための支持部材１４０と、支持部材１４０の下方に配置され、かつ移動可能なタンク部材１５０とを備える。タンク部材１５０は、洗髪器１１０の中に温水を供給するための給水タンク１７０と、洗髪器１１０の底部から排水を受け入れるための排水タンク１８０とを含む。洗髪器１１０の垂直方向の中心軸線と、支持部材１４０の垂直方向の中心軸線とは、一致するように構成される。支持部材１４０の垂直方向の中心軸線と、タンク部材１５０の垂直方向の中心軸線とは、一致するように構成される。【選択図】　　　図１
2004073375.tif 000002
【特許請求の範囲】
【請求項１】
洗髪すべき者の頭部を洗髪するための洗髪装置であって、
洗髪すべき者の頭部を受け入れることができるように構成された洗髪器と、
前記洗髪器の下方に配置され、かつ前記洗髪器を支持するための支持部材と、
前記支持部材の下方に配置され、かつ移動可能なように構成されたタンク部材とを備え、
前記洗髪器は、前側に設けられ、洗髪すべき者の頭部を受け入れるための前開口部と、後側に設けられた１つ以上の作業用孔と、底部に設けられた排水用の底開口部とを有しており、
前記タンク部材は、前記洗髪器の中に温水を供給するための給水タンクと、前記洗髪器の底部から排水を受け入れるための排水タンクとを含んでおり、
前記洗髪器の垂直方向の中心軸線と、前記支持部材の垂直方向の中心軸線とは一致するように構成され、前記支持部材の垂直方向の中心軸線と、前記タンク部材の垂直方向の中心軸線とは一致するように構成される、
ことを特徴とする洗髪装置。
【請求項２】
前記支持部材は、円筒形の保持筒部と、該保持筒部の下部に配置されたベース部とを備え、前記保持筒部は、その軸線方向に伸縮可能なように、ベローズ状の形態をもつように構成されることを特徴とする、請求項１に記載の洗髪装置。
【請求項３】
前記給水タンクの中には、給水ポンプと、ヒータと、レリーフ弁とが設けられ、給水ポンプが作動することにより、給水タンクの中の水は、供給管を介してヒータを通して、給湯用管に送られるように構成され、レリーフ弁用管は、一端がレリーフ弁に接続され、他端は前記供給管に接続されており、レリーフ弁の動作圧力が設定圧を超えているときにレリーフ弁は開かれ、レリーフ弁の動作圧力が設定圧以下であるときにレリーフ弁は閉じられ、レリーフ弁を閉じることにより、前記給水タンクの中の水は、前記供給管を介して前記ヒータを通して、給湯用管に送られるように構成され、前記給水ポンプと前記ヒータを作動させて、前記給水タンク内の水を加熱し、加熱した温水を前記給湯用管の中に送り込むように構成され、シャワーヘッドが、前記給湯用管の一端に接続されることを特徴とする、請求項１又は２に記載の洗髪装置。
【請求項４】
前記シャワーヘッドの噴射孔から噴射される温水の噴射及び停止を制御するための手元スイッチが、前記シャワーヘッドの噴射頭部の外周部に配置されており、前記手元スイッチを「ＯＮ」の位置にセットすると、温水を前記噴射孔から噴射させることができ、前記手元スイッチを「ＯＦＦ」の位置にセットすると、温水の噴射を停止させることができるように構成されることを特徴とする、請求項３に記載の洗髪装置。
【請求項５】
温度センサが、前記ヒータの出口における温水の温度を検出するために設けられることを特徴とする、請求項３又は４に記載の洗髪装置。
【請求項６】
液量センサが、前記給水タンクの中の水の貯水量を検出するために設けられることを特徴とする、請求項１から５のいずれか１項に記載の洗髪装置。
【請求項７】
更に、ミストスチームを出力する動作時間、ミストスチーム温度などを設定することができるように構成されたタイマー式のミストスチーマを備え、タイマーを設定して、動作スイッチを入れると、設定した時間の間、設定温度のミストスチームが、スチーム管路を通って前記洗髪器の中に供給されるように構成されることを特徴とする、請求項１から６のいずれか１項に記載の洗髪装置。
【発明の詳細な説明】
【０００１】
【発明の属する技術分野】
本発明は、洗髪すべき者の頭部を洗髪するための洗髪装置に関する。特に、本発明は、要介護者、病院に入院中の患者などをベッドに寝かせた状態で周囲をよごすことなく患者などを洗髪するための密閉型洗髪器を含む洗髪装置に関する。また、本発明は、家庭、床屋、美容院等において、仰向け状態で洗髪すべき者の頭部をほぼ水平な状態に保持して周囲をよごすことなく頭部を洗髪するための密閉型洗髪器を含む洗髪装置に関する。
【０００２】
【従来の技術】
特開昭５４−５３０６６号公報に開示されている自動洗髪機は、本体頂面に配置されたシャンプーボールと、給湯回路と、循環回路と、廃湯回路とを備え、噴射ノズルを介してシャンプーボール内に湯又は石けん水を噴射するように構成されている。
特開平９−２８４４７号公報に開示されている洗髪装置は、移動可能な筐体の上部にシャワー部を設ける。メイン制御装置は、三方制御弁、電磁弁、電源の制御と、給水ポンプ及び吸引ポンプを制御する。サブ制御装置は、貯留タンクの水位及び水温を監視し、水温が設定温度を保つようにヒータへ印加される電圧を制御する。この洗髪装置は、加温されたオゾン水を使用する。
特開平１０−２９０７１３号公報に開示されている可動洗髪台は、下部本体と、上部本体とを備える。下部本体内部には、タンク、電動給水ポンプ、流動センサ、圧力センサ、アキュームレータ、制御回路が設けられる。給水路が、タンク底面から電動給水ポンプ、流動センサ、アキュームレータを経て、上部本体に設けられたコックに至る。更に、給水路はコックからホースを経てシャワーヘッドに至る。上部本体には、洗髪ボールが形成される。
【０００３】
特開平１１−２９０１１５号公報に開示されている可動式シャンプー装置は、上部に洗髪台を有する移動可能なケーシングを備える。シャワーノズルが洗髪台に設けられる。ケーシング内には、清水タンクおよび汚水タンクが設けられる。ケーシングには、清水タンクからシャワーノズルに清水を供給するポンプと、シャンプーノズルにノズルにシャンプーを供給するポンプとが設けられる。洗髪台と汚水タンクは配管で接続される。
特開２０００−３４２３２４号公報に開示されている洗髪車は、シャンプボール保持具を、台車に設けたガイドレールに横方向に移動可能に支持した保持具と、この保持具に高さ調整可能に固定するようにした昇降フレームと、この昇降フレームに固定し、シャンプボールを旋回及び取り外し可能に保持する環状のシャンプボール受けとを備える。
【０００４】
特開２００１−９５６１９号公報に開示されている洗髪車は、洗髪用水タンクと、汚水溜タンクと、シャンプボールとを台車に備える。
特開２００２−６５３４１号公報に開示されている自動洗髪器は、下位Ｌ水量センサにより貯湯タンクが空であることを検出すると、給湯バルブを開いて貯湯タンクへの温水供給を開始する。中位Ｍ水量センサが貯湯タンクに水位Ｍまで温水がたまったことを検知すると、サーミスタが温水温度を検知する。この温度が低すぎるとき、給湯を継続しながら、ポンプを一定時間動作させ、貯湯タンクにたまった温水を排水する。
【０００５】
【発明が解決しようとする課題】
しかし、従来の自動洗髪器は、装置の構造が複雑で、装置のサイズが大きく、作業性がよくない形状を有していた。また、従来の洗髪装置は、シャワーリングの操作が複雑であり、病院、家庭などで素人が簡単に洗髪作業を行うのが困難であった。
【０００６】
【発明の目的】
本発明の目的は、要介護者、病院に入院中の患者などをベッドに寝かせた状態で、患者などの頭部を確実に支持して、周囲をよごすことなく簡単に洗髪することができるように構成した洗髪装置を提供することにある。
また、本発明の他の目的は、家庭、床屋、美容院等において、少ないスペースを用いるだけで、頭部以外をぬらさずに、周囲をよごすことなしに、頭部を気持ち良く洗髪することができるように構成した洗髪装置を提供することにある。
【０００７】
【課題を解決するための手段】
本発明は、洗髪すべき者の頭部を洗髪するための洗髪装置であって、洗髪すべき者の頭部を受け入れることができるように構成された洗髪器と、洗髪器の下方に配置され、かつ洗髪器を支持するための支持部材と、支持部材の下方に配置され、かつ移動可能なように構成されたタンク部材とを備えるように構成した。この洗髪装置では、洗髪器は、前側に設けられ、洗髪すべき者の頭部を受け入れるための前開口部と、後側に設けられた１つ以上の作業用孔と、底部に設けられた排水用の底開口部とを有しており、タンク部材は、洗髪器の中に温水を供給するための給水タンクと、洗髪器の底部から排水を受け入れるための排水タンクとを含んでおり、洗髪器の垂直方向の中心軸線と、支持部材の垂直方向の中心軸線とは一致するように構成され、支持部材の垂直方向の中心軸線と、前記タンク部材の垂直方向の中心軸線とは一致するように構成されることを特徴とする。
この構成により、患者などをベッドに寝かせた状態で、患者などの近くに小型の洗髪装置を配置して、周囲をよごすことなく、患者などを洗髪することができる。
【０００８】
本発明の洗髪装置においては、支持部材は、円筒形の保持筒部と、該保持筒部の下部に配置されたベース部とを備え、保持筒部は、その軸線方向に伸縮可能なように、ベローズ状の形態をもつように構成されるのが好ましい。この構成により、洗髪すべき者の頭部の位置に合わせて、洗髪器の垂直方向の高さを調節することができる。
また、本発明の洗髪装置においては、給水タンクの中には、給水ポンプと、ヒータと、レリーフ弁とが設けられ、給水ポンプが作動することにより、給水タンクの中の水は、供給管を介してヒータを通して、給湯用管に送られるように構成され、レリーフ弁用管は、一端がレリーフ弁に接続され、他端は供給管に接続される。さらに、本発明の洗髪装置においては、レリーフ弁の動作圧力が設定圧を超えているときにレリーフ弁は開かれ、レリーフ弁の動作圧力が設定圧以下であるときにレリーフ弁は閉じられ、レリーフ弁を閉じることにより、給水タンクの中の水は、供給管を介してヒータを通して、給湯用管に送られるように構成される。そして、本発明の洗髪装置においては、給水ポンプとヒータを作動させて、給水タンク内の水を加熱し、加熱した温水を給湯用管の中に送り込むように構成され、シャワーヘッドが、給湯用管の一端に接続されるのが好ましい。この構成により、一定の温度に加熱した温水を給湯用管を介してシャワーヘッドに確実に供給することができる。
【０００９】
また、本発明の洗髪装置においては、シャワーヘッドの噴射孔から噴射される温水の噴射及び停止を制御するための手元スイッチが、前記シャワーヘッドの噴射頭部の外周部に配置されており、前記手元スイッチを「ＯＮ」の位置にセットすると、温水を前記噴射孔から噴射させることができ、前記手元スイッチを「ＯＦＦ」の位置にセットすると、温水の噴射を停止させることができるように構成されるのが好ましい。この構成により、手元スイッチにより、温水の噴射の制御をたやすく行うことができる。
また、本発明の洗髪装置においては、温度センサが、前記ヒータの出口における温水の温度を検出するために設けられるのが好ましい。この構成により、シャワー温度を確実に知ることができる。
また、本発明の洗髪装置においては、液量センサが、給水タンクの中の水の貯水量を検出するために設けられるのが好ましい。この構成により、給水タンクの中の水の量を確実に知ることができる。
更に、本発明の洗髪装置においては、ミストスチームを出力する動作時間、ミストスチーム温度などを設定することができるように構成されたタイマー式のミストスチーマを備え、タイマーを設定して、動作スイッチを入れると、設定した時間の間、設定温度のミストスチームが、スチーム管路を通って前記洗髪器の中に供給されるように構成されるのが好ましい。この構成により、設定温度のミストスチームを、洗髪すべき者の頭部に、設定した時間の間、供給することができる。
【００１０】
【発明の効果】
本発明の洗髪装置を用いると、要介護者、病院に入院中の患者などをベッドに寝かせた状態で周囲をよごすことなく、患者などを洗髪することができる。また、本発明の洗髪装置を用いると、素人でも確実に要介護者などを洗髪することができるので、要介護者は気持ちの良さを感じ、洗髪する者と洗髪される者との間に人間としての感情のふれあいが生じ、両者が生きる喜びを分かち合うようになる。
また、本発明の洗髪装置は、水飛散防止タイプであるので、家庭、床屋、美容院等において、少ないスペースを用いるだけで、周囲をよごすことなく、洗髪することができる。また、本発明の洗髪装置は、水飛散防止タイプであるので、シャワー圧力を十分に上げることができるので、頭部を気持ち良く洗髪することができる。
さらに、本発明の洗髪装置は、小型であり、広い利用スペースを必要としない。
さらに、本発明の洗髪装置は、操作が容易であり、移動が簡単である。
【００１１】
【発明の実施の形態】
以下に、本発明の洗髪装置の実施の形態を図面に基づいて説明する。
（１）第１の実施の形態
最初に、本発明の洗髪装置の第１の実施の形態を説明する。
（１・１）洗髪装置の全体構造
図１および図２を参照すると、洗髪すべき者の頭部を洗髪するための洗髪装置１００を図示している。洗髪装置１００は、洗髪すべき者の頭部を受け入れることができるように構成された洗髪器１１０と、洗髪器１１０の下方に配置され、かつ洗髪器１１０を支持するための支持部材１４０と、支持部材１４０の下方に配置され、かつ移動可能なように構成されたタンク部材１５０とを備える。すなわち、支持部材１４０は、洗髪器１１０とタンク部材１５０との間に位置する。タンク部材１５０は、洗髪器１１０の中に温水を供給するための給水タンク１７０と、洗髪器１１０の底部から排水を受け入れるための排水タンク１８０とを含む。洗髪器１１０の垂直方向の中心軸線と、支持部材１４０の垂直方向の中心軸線とは、一致するように構成されるのが好ましい。支持部材１４０の垂直方向の中心軸線と、タンク部材１５０の垂直方向の中心軸線とは、一致するように構成されるのが好ましい。
【００１２】
図１６を参照すると、本明細書において、「前」とは、洗髪器１１０において、洗髪すべき者１０２の足１０２ｔに向かう方向を示し、「後」とは、洗髪器１１０において、洗髪すべき者１０２の身体１０２ｂを配置していない方の方向を示し、「上」とは、洗髪器１１０において、洗髪すべき者１０２の身体１０２ｂより上へ向かう方向を示し、「下」とは、洗髪器１１０において、洗髪すべき者１０２の身体１０２ｂより下へ向かう方向を示し、「右」とは、洗髪器１１０において、洗髪すべき者１０２の右手１０２ｒのある方を示し、「左」とは、洗髪器１１０において、洗髪すべき者１０２の左手１０２ｆのある方を示す。
【００１３】
図１〜図５を参照すると、洗髪器１１０は、本体ヘルメット１１２を含む。給湯用管１６２の一端が給水タンク１７０に接続される。シャワーヘッド１６４が給湯用管１６２の他端に接続される。シャワーヘッド１６４の表面には複数の噴射孔が設けられる。給水タンク１７０の中から給湯用管１６２を介して、シャワーヘッド１６４の噴射孔を通して、温水を洗髪すべき者１０２の頭部１０２ｈに噴射させることができるように構成される。
【００１４】
オプションとして、洗髪装置１００は、洗髪すべき者１０２の首部の後ろ側を受けるための背上げパッド１１８（図２０参照）を備えることができる。この構成では、背上げパッド１１８は合成ゴムなどの弾性変形可能な材料で形成される。背上げパッド１１８はナイロンなどの防水材料のカバーを備えるのがよい。
オプションとして、洗髪装置１００は、ドライヤヘッド（図示せず）を備えることができる。この構成では、ドライヤヘッドは送風用管（図示せず）に接続される。送風装置（図示せず）はタンク部材１５０に配置するのがよい。この構成では、送風装置から送風用管を介してドライヤヘッドの吹出孔より温風および冷風を洗髪すべき者１０２の頭部１０２ｈに吹き出すことができるように構成することができる。
【００１５】
（１・２）本体ヘルメットの構造
図２、図８〜図１１を参照すると、本体ヘルメット１１２は、上半部１１２ｔと、下半部１１２ｖとを含むように構成される。本体ヘルメット１１２は、上半部１１２ｔと下半部１１２ｖをそれぞれ別個に成形し、その後、上半部１１２ｔと下半部１１２ｖを接着、溶着などにより接合することにより製造することができる。本体ヘルメット１１２は、プラスチック材料で形成されるのがよい。本体ヘルメット１１２は、例えば、ポリエチレン、ポリカーボネート、アクリル、ポリプロピレンなどの合成樹脂で製造することができる。この構成では、上半部１１２ｔと下半部１１２ｖとは密封されるように結合される。上半部１１２ｔと下半部１１２ｖとは同一材料で形成されるのが好ましいが、上半部１１２ｔは下半部１１２ｖと異なる材料で形成することもできる。
或いは、本体ヘルメット１１２の上半部１１２ｔと下半部１１２ｖとは、互いに嵌め込み可能なように構成され、上半部１１２ｔの嵌め込み部と下半部１１２ｖの嵌め込み部を嵌め込んだとき、上半部１１２ｔと下半部１１２ｖの嵌め込み部分は密封できるように構成することもできる。この構成により、本体ヘルメット１１２を容易に成形加工により製作することができる。
【００１６】
本体ヘルメット１１２の上半部１１２ｔは、透明なプラスチック材料又は半透明なプラスチック材料で作られるのが好ましい。すなわち、本体ヘルメット１１２は、少なくともその上半部１１２ｔが、透明なプラスチック材料又は半透明なプラスチック材料で作られるのが好ましい。この構成により、洗髪中、洗髪作業者は洗髪すべき者の頭部と洗髪作業者の両方の手を見ながら、頭部を洗髪することができる。本体ヘルメット１１２の下半部１１２ｖを、透明なプラスチック材料又は半透明なプラスチック材料で作ることもできる。ここで、半透明な材料とは、材料に照射した光線のうちの、少なくとも１０％が透過するような材料を示す。或いは、本体ヘルメット１１２は、アルミニウム、チタンなどの金属又はそれらの金属の合金で製造することもできる。或いは、本体ヘルメット１１２は、防水加工を施した板紙で製造することもできるし、プラスチックフィルムを積層した厚紙などで製造することもできる。この構成においても、本体ヘルメット１１２の上半部１１２ｔが、透明なプラスチック材料又は半透明なプラスチック材料で作られるのが好ましい。
【００１７】
本体ヘルメット１１２は、前側に設けられ、かつ洗髪すべき者１０２の頭部１０２ｈを受け入れるための前開口部１１２ｂと、後側に設けられた作業用孔１１２ｃと、底部に設けられた排水用の底開口部１１２ｆとを有する。前開口部１１２の形状は、洗髪すべき者１０２の身長の長手方向（以下、「縦方向」という）の長さが２５０ｍｍ程度であり、洗髪すべき者１０２の身体１０２ｂの幅方向（以下、「横方向」という）の長さが２００ｍｍ程度であるのが好ましい。一般に、洗髪すべき者１０２の頭部１０２ｈの幅は１６８ｍｍ程度であるので、前開口部１１２を上記のような寸法に構成すれば、前開口部１１２の縁部と洗髪すべき者の顔面部との間に、フレキシブルスペースを３０〜５０ｍｍ程度とることができる。この構成により、洗髪すべき者１０２の頭部１０２ｈの動きに十分に対応することができる。
【００１８】
底開口部１１２ｆの形状は円形であるのがよい。作業用孔１１２ｃの形状は、水平方向に長手方向軸線を配置した長円形であるのがよい。作業用孔１１２ｃの形状は楕円形であってもよいし、多角形であってもよい。図には、１つの長円形の作業用孔１１２ｃを示しているが、作業用孔の数は、１個であってもよいし、２個であってもよいし、３個であってもよいし、４個以上であってもよい。水平方向に長手方向軸線を配置した長円形の作業用孔１１２ｃを本体ヘルメット１１２に設ければ、洗髪中、洗髪作業者は両方の手を作業用孔１１２ｃから本体ヘルメット１１２の中に入れて、効率的に洗髪作業を行うことができる。本体ヘルメット１１２に２個の円形の作業用孔を設ければ、洗髪中、洗髪作業者は両方の手をそれぞれ、２つの作業用孔から本体ヘルメット１１２の中に入れて、効率的に洗髪作業を行うことができる。
【００１９】
本体ヘルメット１１２に４個の円形の作業用孔を設ければ、洗髪中、一方の洗髪作業者が、一方の手を第１の作業用孔から本体ヘルメット１１２の中に入れ、他方の手を第２の作業用孔から本体ヘルメット１１２の中に入れ、他方の洗髪作業者が、一方の手を第３の作業用孔から本体ヘルメット１１２の中に入れ、他方の手を第４の作業用孔から本体ヘルメット１１２の中に入れ、２人同時に効率的に洗髪作業を行うことができる。本体ヘルメット１１２に２個の長円形の作業用孔を設ければ、洗髪中、一方の洗髪作業者が、両方の手を第１の長円形の作業用孔から本体ヘルメット１１２の中に入れ、他方の洗髪作業者が、両方の手を第２の長円形の作業用孔から本体ヘルメット１１２の中に入れ、２人同時に効率的に洗髪作業を行うことができる。
前開口部１１２ｂの一部分と、作業用孔１１２ｃは、上半部１１２ｔに設けられ、前開口部１１２ｂの他の一部分と、底開口部１１２ｆとは、下半部１１２ｖに設けられる。
【００２０】
本体ヘルメット１１２の作業用孔１１２ｃを通して、洗髪作業者は本体ヘルメット１１２の中にシャワーヘッド１６４（図１２、図１３参照）を持ち込み、洗髪すべき者１０２の頭部１０２ｈに温水を送ることができる。さらに、本体ヘルメット１１２の作業用孔１１２ｃを通して、洗髪作業者は本体ヘルメット１１２の中にドライヤヘッドを持ち込み、洗髪すべき者１０２の頭部１０２ｈに温風および冷風を送ることができる。この構成により、患者などの洗髪すべき者１０２をベッドに寝かせた状態で、すなわち、仰向け状態で洗髪すべき者の頭部をほぼ水平な状態に保持して、洗髪すべき者１０２の周囲をよごすことなく、洗髪すべき者１０２などを気持ち良く洗髪することができる。
本発明の洗髪装置を用いれば、美容院、家庭などにおいて、背もたれ部が傾斜可能な椅子に洗髪すべき者を配置した状態で、すなわち、仰向け状態で洗髪すべき者の頭部をほぼ水平な状態に保持して、洗髪すべき者を洗髪することができる。この場合においても、洗髪すべき者の周囲をよごすことなく、美容院、家庭などにおいて、洗髪すべき者を気持ち良く洗髪することができる。
【００２１】
図１０を参照すると、本体ヘルメット１１２は、上半部１１２ｔの後側に設けられた１つの追加作業用孔１１２ｇを備える。この構成により、洗剤などを追加作業用孔１１２ｇから本体ヘルメット１１２の中に入れることができる。追加作業用孔１１２ｇには、開閉可能な蓋１１２ｊを設けるのがよい。追加作業用孔を２つ以上設けることもできる。追加作業用孔１１２ｇの内径は、例えば、５０ｍｍであるのがよい。
【００２２】
図８〜図１１を参照すると、本体ヘルメット１１２は、例えば、内径が４００ｍｍで、ほぼ球形に形成される。本体ヘルメット１１２は、例えば、肉厚が２ｍｍの球形に形成されるのがよい。本体ヘルメット１１２は、縦方向に長軸を有する回転楕円体のような形に形成してもよいし、縦方向に長軸を有するラグビーボールのような形に形成してもよいし、正２０面体のような正多面体、或いは、多面体のような形に形成してもよい。
【００２３】
作業用孔１１２ｃの水平方向の長さは、例えば、３５０ｍｍであるのがよい。作業用孔１１２ｃの垂直方向の長さは、例えば、１４０ｍｍであるのがよい。底開口部１１２ｆの内径は、例えば、８０ｍｍであるのがよい。
本体ヘルメット１１２の底開口部１１２ｆには、底部フィルタ（図示せず）を設けることができる。底部フィルタを設けることにより、洗髪中に、抜け落ちた髪の毛、髪の毛に付いていたごみなどを底部フィルタに溜めることができる。この構成により、排水管の目詰まりの発生を防ぐことができる。
【００２４】
（１・３）頭部受座の構造
図５、図９および図１１を参照すると、洗髪器１１０は、本体ヘルメット１１２の内部に配置され、洗髪すべき者１０２の頭部１０２ｈを支持するための、１つ以上の頭部受座１２０ｂ、１２０ｃを備える。この構成により、洗髪すべき者１０２の頭部１０２ｈを確実に下方から支持することができる。図５および図１１には、２つの頭部受座１２０ｂ、１２０ｃを示しているが、頭部受座の数は、１個であってもよいし、２個であってもよいし、３個であってもよいし、４個以上であってもよい。頭部受座１２０ｂ、１２０ｃは、シリコンゴムなどの弾性変形可能な材料で形成するのがよい。頭部受座１２０ｂ、１２０ｃのサイズは、例えば、断面が２０ｍｍ×３０ｍｍの長方形であり、長さが１２０ｍｍであるのがよい。頭部受座１２０ｂ、１２０ｃの突起部を本体ヘルメット１１２の内側に嵌め込むことにより、頭部受座１２０ｂ、１２０ｃを本体ヘルメット１１２の内部に固定することができる。
【００２５】
（１・４）頭部シール部材の構造
図１を参照すると、洗髪器１１０において、本体ヘルメット１１２の前開口部１１２ｂには、洗髪すべき者１０２の頭部１０２ｈを密封するための、伸縮可能な頭部シール部材１２４が設けられる。頭部シール部材１２４は、本体ヘルメット１１２の前開口部１１２ｂに固定するためのリング状の面ファスナＡ１２４ｄと、防水ビニールで形成された接続部材１２４ｆと、洗髪すべき者１０２の頭部１０２ｈに取り付けるためのリング状のヘアーバンド１２４ｈとを含む。接続部材１２４ｆは、面ファスナＡ１２４ｄとヘアーバンド１２４ｈとの間に配置される。接続部材１２４ｆは、伸縮可能なように、防水性があるゴム又は軟質プラスチックで形成するのがよい。例えば、面ファスナＡ１２４ｄは直径が３２０ｍｍで、幅が２０ｍｍになるように形成される。例えば、ヘアーバンド１２４ｈは直径が１２０ｍｍで、幅が１５ｍｍになるように形成される。例えば、接続部分１２４ｆは幅が１００ｍｍになるように形成される。
【００２６】
本体ヘルメット１１２の前開口部１１２ｂの縁部付近には、リング状の面ファスナＢ（図示せず）が固着される。面ファスナＡ１２４ｄと面ファスナＢは、互いに密着して一体になるように形成されている。したがって、頭部シール部材１２４の面ファスナＡ１２４ｄを本体ヘルメット１１２の面ファスナＢに対して固定することができる。この構成により、洗髪中、洗髪すべき者の顔などがぬれるおそれをなくすことができる。面ファスナＢは本体ヘルメット１１２の前開口部１１２ｂの縁部付近で、本体ヘルメット１１２の内面に固着することができるし、或いは、面ファスナＢは本体ヘルメット１１２の前開口部１１２ｂの縁部付近で、本体ヘルメット１１２の外面に固着することもできる。
【００２７】
（１・５）作業用孔シール部材の構造
図５及び図７を参照すると、本体ヘルメット１１２の作業用孔１１２ｃには、作業用孔１１２ｃを密封するための、弾性変形可能な作業用孔シール部材１３０が設けられる。図７に示すように、作業用孔シール部材１３０は、本体ヘルメット１１２の作業用孔１１２ｃの外側に取り付けることができる。或いは、作業用孔シール部材１３０は、本体ヘルメット１１２の内側に取り付けることもできるし、本体ヘルメット１１２の内側に固定することもできる。作業用孔シール部材１３０は、間隔を隔てた２つの手挿入用穴１３０ｂ、１３０ｃを有する長円形の部材である。作業用孔シール部材１３０の手挿入用穴１３０ｂと１３０ｃとの間にはスリットが設けられる。作業用孔シール部材１３０の手挿入用穴１３０ｂ、１３０ｃから作業用孔シール部材１３０の外形部に向かう、放射状の複数のスリットが設けられる。例えば、作業用孔シール部材１３０の手挿入用穴１３０ｂ、１３０ｃの内径は６０ｍｍであるのがよい。作業用孔シール部材１３０の厚さは、例えば、１ｍｍ〜５ｍｍであるのがよい。
【００２８】
この構成により、洗髪中、洗髪作業者の腕の部分から温水が漏れることがないので、洗髪作業者の衣服などがぬれるおそれをなくすことができる。或いは、作業用孔シール部材１３０の手挿入用穴１３０ｂ、１３０ｃの内径を０ｍｍとしてもよい。この構成により、洗髪中、洗髪作業者が一方の作業用孔に腕を入れない場合でも、その作業用孔から温水が漏れることがないようにすることができる。作業用孔シール部材１３０の外形部は、本体ヘルメット１１２の作業用孔１１２ｃの縁部に接着される。作業用孔シール部材１３０は、硬質ゴム、軟質ゴム、硬質プラスチック、軟質プラスチックで形成されるのがよい。例えば、本体ヘルメット１１２は、ネオプレン、シリコンゴム、ポリ塩化ビニール、ポリエチレン、ポリプロピレン、ポリウレタン、テフロン（登録商標）などで製造することができる。
【００２９】
（１・６）シャワーヘッド用ホルダの構造
次に、本発明の洗髪装置の第１の実施の形態に用いられるシャワーヘッド用ホルダの構造を説明する。
図１および図２を参照すると、シャワーヘッド用ホルダ１３４を本体ヘルメット１１２の外側に取り付けることができる。シャワーヘッド用ホルダ１３４に吸盤を設けることができる。この吸盤により、シャワーヘッド用ホルダ１３４を本体ヘルメット１１２の外側に取り付けることができる。固定部１３４ｃはプラスチックで形成されるのがよい。シャワーヘッド用ホルダ１３４は、シャワーヘッドを収容するためのカップ状部分を有する。
【００３０】
（１・７）シャワーヘッドの構造
次に、本発明の洗髪装置の第１の実施の形態に用いられるシャワーヘッドの構造を説明する。
図１２及び図１３を参照すると、シャワーヘッド１６４は、円盤状の噴射頭部１６４ｃと、噴射頭部１６４ｃの後面の中央部に設けられた直線パイプ部１６４ｄと、直線パイプ部１６４ｄの後端部に設けられた支持用の円板部１６４ｆと、円板部１６４の後側に設けられた曲線パイプ部１６４ｋと、手元スイッチ１６４ｔとを有する。本明細書のシャワーヘッド１６４において、「前」とは、液体が流れる下流側の方向を示し、「後」とは、液体が流れる上流側の方向を示す。
シャワーヘッド１６４の曲線パイプ部１６４ｋの後端部は、給湯用管１６２の一端に接続される。シャワーヘッド１６４の噴射頭部１６４ｃの前面には複数の噴射孔１６４ｈが設けられる。給水タンク１７０から給湯用管１６２を介して供給される温水は、曲線パイプ部１６４ｋの中を通り、円板部１６４ｆの中心穴の中を通り、直線パイプ部１６４ｄの中を通り、噴射頭部１６４ｃの噴射孔１６４ｈから噴射されるように構成される。噴射孔１６４ｈから噴射される温水の噴射及び停止を制御するための手元スイッチ１６４ｔは、噴射頭部１６４ｃの外周部に配置される。図１８を参照すると、手元スイッチ１６４ｔを「ＯＮ」の位置にセットすると、温水を噴射孔１６４ｈから噴射させることができ、手元スイッチ１６４ｔを「ＯＦＦ」の位置にセットすると、温水の噴射を停止させることができるように構成される。
【００３１】
図示するように、直線パイプ部１６４ｄは、噴射頭部１６４ｃの後面の中央部から偏心した位置に設けられる。すなわち、直線パイプ部１６４ｄは、噴射頭部１６４ｃの後面の上部に設けられる。或いは、噴射頭部１６４ｃの後面の中央部に設けることもできる。噴射頭部１６４ｃの後面の中央部から偏心した位置に設けることもできる。直線パイプ部１６４ｄの中心軸線は、噴射頭部１６４ｃの後面に対して直角に設けられるのが好ましい。直線パイプ部１６４ｄの中心軸線は、噴射頭部１６４ｃの後面に対して１度〜６０度の角度をなすように設ることもできる。円板部１６４ｆの前面は、噴射頭部１６４ｃの後面に対して平行に設けられるのが好ましい。円板部１６４ｆの前面は、噴射頭部１６４ｃの後面に対して１度〜３０度の角度をなすように形成することもできる。直線パイプ部１６４ｄと円板部１６４ｆを設けることにより、洗髪作業者はシャワーヘッド１６４をしっかりと保持することができる。
【００３２】
（１・８）支持部材の構造
図１、図２、図３、図５を参照すると、支持部材１４０は、円筒形の保持筒部１４２と、保持筒部１４２の下部に配置されたベース部１４４とを備える。保持筒部１４２は、その軸線方向に伸縮可能なように、ベローズ状の形態をもつように構成されるのが好ましい。保持筒部１４２は、ゴムのような伸縮可能な材料で形成される。保持筒部１４２の上部が本体ヘルメット１１２の底開口部１１２ｆの底縁の外周部に嵌め込み可能なように構成される。或いは、保持筒部１４２の上部は、底開口部１１２ｆの底縁の内周部に嵌め込み可能なように構成することもできる。支持部材１４０のベース部１４４は、タンク部材１５０の上面に配置される。図２に示すように、支持部材１４０のベース部１４４は、タンク部材１５０の上蓋部を構成するのがよい。この構成では、支持部材１４０のベース部１４４は、タンク部材１５０の上面に固定されて、給水タンク１７０及び排水タンク１８０の蓋を構成する。
洗髪作業者が洗髪装置１００の動作を制御するための動作制御ボックス１４６がベース部１４４の上面に配置される。タイマー式のミストスチーマ１６８がベース部１４４の上面に配置される。温水を給水タンク１７０に補給するための温水補給口１４８がベース部１４４に形成される。
【００３３】
（１・９）タイマー式ミストスチーマの構造
図６を参照すると、タイマー式のミストスチーマ１６８は、ミストスチームを出力する動作時間、ミストスチーム温度などを設定することができるように構成される。スチーム管路１６８ｂは、一端がミストスチーマ１６８に接続され、他端が本体ヘルメット１１２に接続される。ミストスチーマ１６８において、ミストスチーム温度を設定し、タイマーを設定して、動作スイッチを入れると、設定した時間の間、設定温度のミストスチームが、スチーム管路１６８ｂを通って本体ヘルメット１１２の中に供給されるように構成される。
ミストスチーマ１６８は、電源１００Ｖ（５０／６０Ｈｚ）で使用可能に構成される。例えば、ミストスチーマ１６８の給水能力は８０ミリリットルであり、連続使用可能時間は３分となるようにに構成するのがよい。例えば、ミストスチーマ１６８の消費電力は２００Ｗとなるようにに構成するのがよい。
【００３４】
（１・１０）タンク部材の構造
次に、本発明の洗髪装置の第１の実施の形態に用いられるタンク部材１５０の構造を説明する。
図２、図３、図５を参照すると、タンク部材１５０の中に、給水タンク１７０及び排水タンク１８０が設けられる。タンク部材１５０の平面形状は、一面をカットした円形に形成される。タンク部材１５０のカット面の向きは、本体ヘルメット１１２の前開口部１１２ｂの向きに合わせて配置される。例えば、タンク部材１５０の円形部の外径は２５０ｍｍであり、円形部の中心からカット面までの距離は１４０ｍｍである。例えば、タンク部材１５０の総高さは５５０ｍｍであり、タンク部材１５０のタンク部分（車１５０ｇを除いたケーシング部分）の高さは５２０ｍｍである。タンク部材１５０の平面形状は、楕円形であってもよいし、三角形、四角形、五角形などの多角形であってもよい。本体ヘルメット１１２の前開口部１１２ｂの下面までの高さ（洗髪者の頭部設置高さ）は、７４０ｍｍである。
【００３５】
例えば、シャワーの能力を１２リットル／分とし、ぬらしに必要な時間を２０秒とし、第１回目のシャワーに必要な時間を２５秒とし、第２回目のシャワーに必要な時間を８０秒とし、リンスに必要な時間を２０秒とすれば、すすぎに必要な合計時間は１５０秒になる。このような洗髪条件において、１５０秒間に必要な使用水量は３０リットル（１５０秒×０．２リットル）である。このような洗髪条件については、給水タンク１７０は、容量が３０リットルになるように形成されるのがよい。給水タンク１７０は、例えば、容量が２５リットル、４０リットルになるように形成することもできる。給水タンク１７０の容量と、排水タンク１８０の容量は、等しくなるように構成されるのが好ましい。したがって、排水タンク１８０は、例えば、容量が２５リットル、３０リットル、４０リットルなどで形成されるのがよい。
【００３６】
排水パイプ１１２ｍは、一端が本体ヘルメット１１２の底開口部１１２ｆに接続され、他端は排水タンク１８０の中に延びる。排水パイプ１１２ｍは、例えば、直径が３０ｍｍであり、長さが３００ｍｍになるように形成される。排水パイプ１１２ｍの本体ヘルメット１１２側の端部には、排水ポンプ１８４（図１４参照）を設けるのがよい。
給水タンク１７０内の水の量を確認するための監視窓部１５０ｂが給水タンク１７０の外周部に垂直に延びるように形成される。監視窓部１５０ｂには、透明なプラスチックが嵌め込まれる。給水タンク１７０内の水の量を示す目盛を監視窓部１５０ｂの近くに設ければ、給水タンク１７０内の水の量を定量的に（何リットル残っているか）知ることができる。
【００３７】
給水タンク用蛇腹ホース１７０ｍは、一端が給水タンク１７０に接続される。給水タンク用蛇腹ホース１７０ｍは、例えば、直径が３０ｍｍであり、長さが５２０ｍｍになるように形成される。給水タンク用蛇腹ホース１７０ｍにより、給水タンク１７０の中の水を排出することができる。排水タンク用蛇腹ホース１８０ｍは、一端が排水タンク１８０に接続される。排水タンク用蛇腹ホース１８０ｍは、例えば、直径が３０ｍｍであり、長さが５２０ｍｍになるように形成される。排水タンク用蛇腹ホース１８０ｍにより、排水タンク１８０の中の排水を排出することができる。タンク部材１５０は、例えば、ＰＡＩ樹脂で形成される。タンク部材１５０の底部には、移動用の複数の車１５０ｇを設けるのがよい。この構成により、タンク部材１５０を容易に移動させることができる。
【００３８】
給水タンク１７０の中には、給水ポンプ１７２と、ヒータ１７４と、レリーフ弁１７６とが設けられる。給水ポンプ１７２が作動することにより、給水タンク１７０の中の水は、供給管１７２ｂを介してヒータ１７４を通して、給湯用管１６２に送られるように構成される。レリーフ弁用管は、一端がレリーフ弁１７６に接続され、他端は供給管１７２ｂに接続される。給水ポンプ１７２とヒータ１７４を作動させて、給水タンク１７０内の水を所定の温度に加熱し、加熱した温水を給湯用管１６２の中に送り込むように構成される。給水温度は、３５°Ｃ以上であるのが好ましい。ヒータ１７４を作動させる温度条件として、ヒータ１７４の出口における温水の温度（シャワー温度）を４１°Ｃ〜４４°Ｃに設定する「高温モード」と、ヒータ１７４の出口における温水の温度を３９°Ｃ〜４２°Ｃに設定する「中温モード」と、ヒータ１７４の出口における温水の温度を３７°Ｃ〜４０°Ｃに設定する「低温モード」とが設けられる。ヒータ１７４の出口における温水の温度（シャワー温度）の設定は、動作制御ボックス１４６に設けられた温度設定スイッチにより行われる。
【００３９】
動作制御ボックス１４６に接続されたコンセント１５０ｃ（図１参照）を用いて、外部の電源から電力を受け入れるように構成される。給水ポンプ１７２を用いることにより、例えば、０．２ｋｇ／ｃｍ３前後のシャワー圧力を発生するように、給水タンク１７０内の水をヒータ１７４で加熱して給湯用管１６２の中に供給することができる。
【００４０】
（１・１１）動作制御ボックスとセンサの構成
図１４を参照すると、動作制御ボックス１４６は、洗髪作業者がスイッチなどを操作して、洗髪装置１００の動作を制御することができるように構成される。動作制御ボックス１４６はＩＣ（図示せず）を備える。このＩＣ内には、ＣＰＵ、ＲＯＭ、ＲＡＭなどが設けられる。このＩＣは各種の動作を行うプログラムを内蔵したＰＬＡ−ＩＣで構成されるのが好ましい。必要に応じて、ＩＣとともに、水晶振動子、抵抗、コンデンサ、コイル、ダイオード、トランジスタ、電池などを用いることができる。動作制御ボックス１４６は、作動スイッチ２３０と、温度設定スイッチ２３２と、温度設定部２３４と、入力制御部２３６と、温度制御部２３８と、ヒータ作動制御部２４０と、出力制御部２４２と、ポンプ作動制御部２４４と、レリーフ弁制御部２４６と、表示部２４８と、発音部２５０とを含む。温度設定部２３４と、入力制御部２３６と、温度制御部２３８と、ヒータ作動制御部２４０と、出力制御部２４２と、ポンプ作動制御部２４４と、レリーフ弁制御部２４６とは、各種の動作を行うプログラムを内蔵したＩＣに設けられる。表示部２４８は、液晶表示装置で構成されるのが好ましい。発音部２５０は、スピーカで構成されるのが好ましい。
【００４１】
作動スイッチ２３０は、洗髪装置１００の動作のＯＮ／ＯＦＦを入力するために設けられる。温度設定スイッチ２３２は、ヒータ１７４の出口における温水の温度（シャワー温度）を設定するために設けられる。温度設定部２３４は、温度設定スイッチ２３２からの信号に基づいて、シャワー温度のモードに対応する出力信号を温度制御部２３８に出力するために設けられる。入力制御部２３６は、作動スイッチ２３０からの信号に基づいて、温度制御部２３８の動作と、ポンプ作動制御部２４４の動作と、ミストスチーマ１６８の動作とを制御し、必要な情報を出力制御部２４２に出力するために設けられる。温度制御部２３８は、入力制御部２３６からの信号と、温度設定部２３４からの信号とに基づいて、ヒータ１７４の作動を制御するための出力信号をヒータ作動制御部２４０に出力するために設けられる。さらに、温度制御部２３８は、ヒータ１７４の作動に関する情報を出力制御部２４２に出力するために設けられる。
【００４２】
ヒータ作動制御部２４０は、温度制御部２３８からの信号に基づいて、ヒータ１７４を作動させるために設けられる。出力制御部２４２は、入力制御部２３６、温度制御部２３８およびポンプ作動制御部２４４からの信号に基づいて、表示部２４８と発音部２５０とを作動させるために設けられる。ポンプ作動制御部２４４は、入力制御部２３６からの信号に基づいて、給水ポンプ１７２と排水ポンプ１８４とを作動させるために設けられる。さらに、ポンプ作動制御部２４４は、レリーフ弁１７６の作動を制御するための出力信号をレリーフ弁制御部２４６に出力するために設けられる。ポンプ作動制御部２４４は、給水ポンプ１７２の供給するシャワー圧を「弱」モードと「強」モードの２モードに設定することができるように構成される。
【００４３】
表示部２４８は、出力制御部２４２からの信号に基づいて、設定された作動条件、作動状況などを表示するために設けられる。発音部２５０は、出力制御部２４２からの信号に基づいて、特定の作動状態にあることを洗髪作業者に知らせるために設けられる。
温度センサ２６０が、ヒータ１７４の出口における温水の温度（シャワー温度）を検出するために設けられる。温度センサ２６０の検出結果に関する信号は、温度制御部２３８に出力される。液量センサ２６２が、給水タンク１７０の中の水の貯水量を検出するために設けられる。液量センサ２６２の検出結果に関する信号は、ポンプ作動制御部２４４に出力される。
【００４４】
図１５を参照すると、動作制御ボックス１４６の動作を示すフローチャートが示されている。洗髪作業者は作動スイッチ２３０を操作して、洗髪装置１００の電源をＯＮさせる（ステップＳ５０１）。洗髪作業者は温度設定スイッチ２３２を操作して、ヒータ１７４の出口における温水の温度（シャワー温度）を設定する（ステップＳ５０２）。シャワー温度は、前述した「高温モード」、「中温モード」、「低温モード」のいずれかに設定することができる。
液量センサ２６２が、給水タンク１７０の中の水の貯水量を検出する（ステップＳ５０３）。ポンプ作動制御部２４４は、液量センサ２６２の検出結果に関する信号を入力して、給水タンク１７０の中の水の貯水量が１リットル以上であるかどうか判定する（ステップＳ５０４）。給水タンク１７０の中の水の貯水量が１リットル以上でないとき、発音部２５０は合成音声により、「貯水量が１リットル以上でない」ことを発音する（ステップＳ５０５）。発音部２５０が「貯水量が１リットル以上でない」ことを発音したとき、洗髪作業者は給水タンク１７０の中に水を補給する（ステップＳ５０６）。
【００４５】
温度制御部２３８は、入力制御部２３６からの信号と、温度設定部２３４からの信号とに基づいて、ヒータ１７４の作動を制御するための出力信号をヒータ作動制御部２４０に出力する。ヒータ作動制御部２４０は、温度制御部２３８からの信号に基づいて、ヒータ１７４を作動させる。ヒータ１７４の作動により、給水タンク１７０の中の水は加熱される。シャワー温度を「高温モード」に設定したとき、温度制御部２３８は、温度センサ２６０が出力する信号に基づいて、ヒータ１７４の出口における温水の温度（シャワー温度）が４１°Ｃになっているかを検出する（ステップＳ５０７）。ヒータ１７４の出口における温水の温度（シャワー温度）が４１°Ｃになっていないときは、一定の時間をおいて、温度制御部２３８はステップＳ５０７の動作を繰り返す。ヒータ１７４の出口における温水の温度（シャワー温度）が４１°Ｃになっているとき、温度制御部２３８は、温度センサ２６０が出力する信号に基づいて、ヒータ１７４の出口における温水の温度（シャワー温度）が４４°Ｃになっているかを検出する（ステップＳ５０８）。ヒータ１７４の出口における温水の温度（シャワー温度）が４４°Ｃを超えているとき、ポンプ作動制御部２４４は、給水ポンプ１７２および排水ポンプ１８４の作動を停止させ（ステップＳ５０９）、ヒータ作動制御部２４０は、ヒータ１７４の作動を停止させる（ステップＳ５１０）。この場合、発音部２５０は合成音声により、「シャワー温度が高すぎる」ことを発音する（ステップＳ５１１）。
【００４６】
ヒータ１７４の出口における温水の温度（シャワー温度）が４４°Ｃになっているとき、ポンプ作動制御部２４４は、給水ポンプ１７２を作動させる信号を給水ポンプ１７２に出力し、排水ポンプ１８４を作動させる信号を排水ポンプ１８４に出力する（ステップＳ５１２）。ポンプ作動制御部２４４から信号を入力すると、給水ポンプ１７２と排水ポンプ１８４は作動する（ステップＳ５１３）。ポンプ作動制御部２４４は、レリーフ弁１７６の作動を制御するための出力信号をレリーフ弁制御部２４６に出力する。レリーフ弁制御部２４６はレリーフ弁１７６の動作圧力を設定する（ステップＳ５１４）。レリーフ弁制御部２４６はレリーフ弁１７６の動作圧力が設定圧を超えているかどうかを判定する（ステップＳ５１５）。レリーフ弁１７６の動作圧力が設定圧を超えていると、レリーフ弁制御部２４６はレリーフ弁１７６を開く（ステップＳ５１６）。レリーフ弁１７６の動作圧力が設定圧以下であるとき、レリーフ弁制御部２４６はレリーフ弁１７６を閉じる（ステップＳ５１７）。レリーフ弁１７６を閉じることにより、給水タンク１７０の中の水は、供給管１７２ｂを介してヒータ１７４を通して、給湯用管１６２に送られ、シャワー作業を行うことができる（ステップＳ５１８）。
【００４７】
（１・１２）第１の実施の形態の作用
次に、本発明の洗髪装置１００第１の実施の形態の作用を説明する。
図１６を参照すると、ベッド１０８の上に洗髪すべき者１０２が仰向けに状態で横たわっている。洗髪装置１００を用いて洗髪すべき者１０２を洗髪するとき、洗髪すべき者１０２の頭部１０２ｈを約２００ｍｍ上げる必要がある。したがって、洗髪すべき者１０２の首部の後ろ側に背上げパッド１１８を置く。
図１、図２、図５、図１６及び図１８を参照すると、洗髪すべき者１０２の頭部１０２ｈを本体ヘルメット１１２の前開口部１１２ｂに配置するために、本体ヘルメット１１２の内面に固着されている面ファスナＢに頭部シール部材１２４の面ファスナＡを固定する。次に、ヘアーバンド１２４ｈを大きく広げて、洗髪すべき者１０２の頭部１０２ｈにヘアーバンド１２４ｈを固定し、洗髪すべき者１０２の頭部１０２ｈを本体ヘルメット１１２の内部に配置された頭部受座１２０ｂ、１２０ｃの上に案内する（段階Ｓ７０１）。
作動スイッチ２３０を操作することにより、電源を入れ、洗髪装置１００の動作スイッチをＯＮにして、ヒータ１７４を作動させる。ヒータ１７４の作動により、給水タンク１７０の中の水は加熱される。また、温度センサ２６０により、給水タンク１７０の中の水の温度の調節が行われる（段階Ｓ７０２）。
【００４８】
液量センサ２６２が、給水タンク１７０の中の水の貯水量を検出する。貯水量が１リットル以上でないとき、発音部２５０は合成音声により、「貯水量が１リットル以上でない」ことを発音する。発音部２５０が「貯水量が１リットル以上でない」ことを発音したとき、洗髪作業者は給水タンク１７０の中に水を補給する（段階Ｓ７０３）。シャワーヘッド１６４を片手にセットし、シャワーヘッド１６４の手元スイッチ１６４ｔを「ＯＦＦ」の位置にセットする（段階Ｓ７０４）。作動スイッチ２３０を操作することにより、給水ポンプ１７２と排水ポンプ１８４を作動させる（段階Ｓ７０５）。このとき、作動スイッチ２３０を操作することにより、シャワー圧を「弱」モードに設定する。
【００４９】
次に、洗髪作業者はシャワーヘッド１６４の直線パイプ部１６４ｄを指の間にはさんで、シャワーヘッド１６４を作業用孔１１２ｃから本体ヘルメット１１２の中に入れる（段階Ｓ７０６）。この状態で、洗髪作業者は、シャワーヘッド１６４の手元スイッチ１６４ｔを「ＯＮ」の位置にセットする。また、洗髪作業者は温水の温度を確認する。給水ポンプ１７２の作動により、給水タンク１７０から給湯用管１６２を介して温水をシャワーヘッド１６４に供給する。洗髪作業者は、噴射頭部１６４ｃの噴射孔１６４ｈから温水を洗髪すべき者１０２の頭部１０２ｈに噴射させて、濯ぎを開始する（段階Ｓ７０７）。洗髪作業者は、片手でシャワーヘッド１６４を持ちながら、その手を作業用孔１１２ｃから本体ヘルメット１１２の中にいれ、もう一方の手を作業用孔１１２ｃから本体ヘルメット１１２の中に入れて、効率良く洗髪作業を行うことができる（図１８参照）。
【００５０】
次に、シャワーヘッド１６４の手元スイッチ１６４ｔを「ＯＦＦ」の位置にセットする（図１８参照）。洗髪作業者は、洗剤を追加作業用孔１１２ｇから本体ヘルメット１１２の中に入れ、洗髪すべき者１０２の頭部１０２ｈに注ぐことにより、シャンプーにて洗髪を開始する（段階Ｓ７０８）。次に、洗髪作業者は、シャワーヘッド１６４の手元スイッチ１６４ｔを「ＯＮ」の位置にセットし、洗剤を洗い流す（段階Ｓ７０９）。リンス作業も同様に行うことができる。次に、洗髪作業者は、トリートメント、育毛剤、養毛剤などを洗髪すべき者１０２の頭部１０２ｈに注ぎ、ミストスチーマ１６８において、ミストスチームを出力する動作時間、ミストスチーム温度などを設定する（段階Ｓ７１０）。ミストスチーマ１６８はスチーマの動作を開始する（段階Ｓ７１１）。
【００５１】
次に、洗髪作業者は、シャワーヘッド１６４の手元スイッチ１６４ｔを「ＯＮ」の位置にセットし、スチーマの動作終了後のすすぎ作業を行う（段階Ｓ７１２）。次に、洗髪作業者は、作動スイッチ２３０を操作することにより、シャワー圧を「強」モードに設定し、頭皮シャワーマッサージを開始する（段階Ｓ７１３）。給水タンク１７０の中の水の貯水量が１リットル以上でないとき、発音部２５０は合成音声により、「貯水量が１リットル以上でない」ことを発音する（段階Ｓ７１４）。
次に、洗髪作業者は、両手を作業用孔１１２ｃから本体ヘルメット１１２の外に出す（段階Ｓ７１５）。次に、洗髪作業者は、タオルをもった両手を作業用孔１１２ｃから本体ヘルメット１１２の中に入れて、洗髪すべき者１０２の頭部１０２ｈを拭き取る（段階Ｓ７１６）。洗髪すべき者１０２の頭部１０２ｈをそのままタオルで覆った状態で、頭部シール部材１２４を本体ヘルメット１１２から外し、洗髪すべき者１０２の頭部１０２ｈを本体ヘルメット１１２から抜き出す（段階Ｓ７１７）。洗髪すべき者１０２の頭部１０２ｈを拭き取った後、洗髪作業者はドライヤで洗髪すべき者１０２の頭部１０２ｈを乾かし、洗髪作業を終了させる（段階Ｓ７１８）。次に、洗髪作業者は本体ヘルメット１１２および頭部シール部材１２４を市販の殺菌剤で洗浄する。
【００５２】
以上説明したように、本発明の洗髪装置１００では、洗髪作業および髪を乾かす作業は、全て本体ヘルメット１１２の中で行われる。したがって、患者などの洗髪すべき者１０２をベッドに寝かせた状態で、或いは、美容院などで洗髪すべき者を椅子に配置して仰向きにした状態で、周囲をよごすことなく洗髪すべき者を気持ち良く洗髪することができる。また、本発明の洗髪装置１００を用いることにより、仰向け状態で洗髪すべき者の頭部をほぼ水平な状態に保持して、洗髪すべき者の頭部以外をぬらすことなく洗髪することができる。
さらに、本発明の洗髪装置１００のシャワーヘッド１６４は、洗髪作業者の手の平の内側に入る大きさに構成されるので、洗髪作業者はシャワーヘッド１６４をしっかりと保持することができる。したがって、洗髪作業者は洗髪すべき者１０２の頭部１０２ｈに対して常に直角に温水を噴射させることができる。このため、洗髪すべき者１０２は１００％のシャワー圧を感じることができ、気持ちの良い洗髪感を味わうことができる。
【００５３】
（２）第２の実施の形態
次に、本発明の洗髪装置の第２の実施の形態の構造および作用を説明する。
以下の説明は、本発明の洗髪装置の第２の実施形態の構造および作用が本発明の洗髪装置の第１の実施形態の構造および作用と異なる点を主に述べる。したがって、以下に記載がない個所は、前述した本発明の洗髪装置の第１の実施形態についての説明をここに準用する。
図１９および図２０を参照すると、洗髪すべき者の頭部を洗髪するための洗髪装置３００を図示している。洗髪装置３００は、洗髪すべき者の頭部を受け入れることができるように構成された洗髪器３１０と、洗髪器３１０の下方に配置され、かつ洗髪器３１０を支持するための支持部材３４０と、支持部材３４０の下方に配置され、かつ移動可能なように構成されたタンク部材３５０とを備える。洗髪器３１０は本体ヘルメット３１２を含む。洗髪器３１０は支持部材３４０から外せるように構成される。支持部材３４０はから外せるように構成される。タンク部材３５０タンク部材３５０は、洗髪器３１０の中に温水を供給するための給水タンク３７０と、洗髪器３１０の底部から排水管３８２を介して排水を受け入れるための排水タンク３８０とを含む。シャワーヘッド３６４には、給水タンク３７０から給湯用管３６２を介して温水を供給することができる。
【００５４】
布団３４０の上に洗髪すべき者１０２が仰向けに状態で横たわっている。洗髪装置３００を用いて洗髪すべき者１０２を洗髪するとき、洗髪すべき者１０２の頭部１０２ｈを約２００ｍｍ上げる必要がある。したがって、洗髪すべき者１０２の首部の後ろ側に背上げパッド１１８を置く。洗髪器３１０を支持部材３４０から外し、洗髪すべき者１０２の頭部１０２ｈを本体ヘルメット３１２の前開口部に配置する。洗髪作業者は、本発明の洗髪装置の第１の実施形態と同様な手順で、洗髪作業を行うことができる。
【図面の簡単な説明】
【図１】図１は、本発明の洗髪装置の第１の実施の形態において、洗髪装置の外観を示す斜視図である。
【図２】図２は、本発明の洗髪装置の第１の実施の形態において、洗髪器と、支持部材と、タンク部材とを示す分解斜視図である。
【図３】図３は、本発明の洗髪装置の第１の実施の形態において、洗髪装置の全体構造を示す側断面図である。
【図４】図４は、本発明の洗髪装置の第１の実施の形態において、タンク部材を示す上面図である。
【図５】図５は、本発明の洗髪装置の第１の実施の形態において、洗髪装置の全体構造を示す部分断面背面図である。
【図６】図６は、本発明の洗髪装置の第１の実施の形態において、タイマー式ミストスチーマを示す部分断面側面図である。
【図７】図７は、本発明の洗髪装置の第１の実施の形態において、作業用孔シール部材を取り付けた洗髪器の全体構造を示す背面図である。
【図８】図８は、本発明の洗髪装置の第１の実施の形態において、本体ヘルメットを示す分解正面図である。
【図９】図９は、本発明の洗髪装置の第１の実施の形態において、本体ヘルメットを示す分解側面図である。
【図１０】図１０は、本発明の洗髪装置の第１の実施の形態において、本体ヘルメットを示す上面図である。
【図１１】図１１は、本発明の洗髪装置の第１の実施の形態において、本体ヘルメットを示す分解背面図である。
【図１２】図１２は、本発明の洗髪装置の第１の実施の形態において、シャワーヘッドを示す斜視図である。
【図１３】図１３は、本発明の洗髪装置の第１の実施の形態において、シャワーヘッドを示す側面図である。
【図１４】図１４は、本発明の洗髪装置の第１の実施の形態において、洗髪装置の制御を示すシステムブロック図である。
【図１５】図１５は、本発明の洗髪装置の第１の実施の形態において、洗髪装置の制御方法を示すフローチャートである。
【図１６】図１６は、本発明の洗髪装置の第１の実施の形態において、ベッドでの使用状態における洗髪装置を示す斜視図である。
【図１７】図１７は、本発明の洗髪装置の第１の実施の形態において、洗髪装置の作業手順を示すフローチャートである。
【図１８】図１８は、本発明の洗髪装置の第１の実施の形態において、シャワーヘッドを使用している状態を示す斜視図である。
【図１９】図１９は、本発明の洗髪装置の第２の実施の形態において、洗髪装置の外観を示す斜視図である。
【図２０】図２０は、本発明の洗髪装置の第２の実施の形態において、布団での使用状態における洗髪装置を示す斜視図である。
【符号の説明】
１００　　洗髪装置
１０２　　洗髪すべき者
１１０　　洗髪器
１１２　　本体ヘルメット
１２４　　頭部シール部材
１３０　　作業用孔シール部材
１４０　　支持部材
１５０　　タンク部材
１７０　　給水タンク
１６２　　給湯用管
１６４　　シャワーヘッド
１７０　　給水タンク
１８０　　排水タンク
３００　　洗髪装置
３１０　　洗髪器
３１２　　本体ヘルメット
【図１】
2004073375.tif 000003
【図２】
2004073375.tif 000004
【図３】
2004073375.tif 000005
【図４】
2004073375.tif 000006
【図５】
2004073375.tif 000007
【図６】
2004073375.tif 000008
【図７】
2004073375.tif 000009
【図８】
2004073375.tif 000010
【図９】
2004073375.tif 000011
【図１０】
2004073375.tif 000012
【図１１】
2004073375.tif 000013
【図１２】
2004073375.tif 000014
【図１３】
2004073375.tif 000015
【図１４】
2004073375.tif 000016
【図１５】
2004073375.tif 000017
【図１６】
2004073375.tif 000018
【図１７】
2004073375.tif 000019
【図１８】
2004073375.tif 000020
【図１９】
2004073375.tif 000021
【図２０】
2004073375.tif 000022